(57)【要約】【課題】表示装置を引き出す際に下側に他の表示装置があっても接触しない。【解決手段】表示装置の取り付け具２は、壁面に固定する基盤３と、表示装置を装着する支持枠体４と、基盤３に一端が取り付けられていて支持枠体４に他端が取り付けられた引き出し及び引き戻し可能なリンク機構５とを備えた。基盤３に設けて支持枠体４方向に延びるガイド部材１０と、支持枠体４に設けてガイド部材１０に乗って摺動可能な摺動ローラ１２とを備えた。支持枠体４を引き出す際に表示装置の厚みに相当する距離を越えた位置で摺動ローラ１２がガイド部材１０から外れる。【選択図】図１
2015018190.tif 000002
【特許請求の範囲】
【請求項１】
壁面に固定する基盤と、表示装置を装着する支持枠と、前記基盤に一端が取り付けられていて前記支持枠に他端が取り付けられた伸縮可能なリンク機構とを備えた表示装置の取り付け具であって、
前記基盤と支持枠の一方に設けられていて他方に向けて延びるガイド部材と、前記基盤と支持枠の他方に設けられていて前記ガイド部材に沿って相対的に摺動可能な摺動部材とを備え、
前記支持枠を引き出す際に前記表示装置の厚みに相当する距離を越えた位置で前記摺動部材と前記ガイド部材とが外れるようにしたことを特徴とする表示装置の取り付け具。
【請求項２】
前記基盤と支持枠の一方に係合受け部が設けられ、他方に前記係合受け部に嵌合可能な係合部が取り付けられ、前記リンク機構が収縮した位置で前記係合部が係合受け部に嵌合するようにした請求項１に記載された表示装置の取り付け具。
【請求項３】
前記リンク機構に設けられた摺動軸がリンク機構の伸縮をガイドするガイド溝に沿って摺動可能であり、
前記支持枠に連結された第一ワイヤーが前記基盤に設けられた第一プーリーを介して接続された第一操作部と、
前記摺動軸に連結された第二ワイヤーが前記基盤に設けられた第二プーリーを介して接続される第二操作部とを備え、
前記第一操作部を操作することで前記表示装置を引き出し位置から基盤側に移動させ、前記第二操作部を操作することで前記表示装置を基盤から引き出すようにしたことを特徴とする請求項１または２に記載された表示装置の取り付け具。
【発明の詳細な説明】
【技術分野】
【０００１】
本発明は、液晶表示パネル等の平面型の表示装置を壁面等に取り付けるために用いられる表示装置の取り付け具に関する。
【背景技術】
【０００２】
従来、液晶表示パネルやプラズマディスプレイパネル等の平面型の表示装置を縦横方向に複数配列させて大型表示画面を構成するようにしたものが知られている。このような表示装置を壁面等に取り付ける壁掛け器具として、例えば特許文献１に記載されたものが提案されている。この壁掛け器具は、壁面に固定するベース盤の前面に支持杆を取り付け、表示装置の裏面に設けた装着枠体に係止ピンを設けて、支持杆の差し込み凹部に係止ピンを差し込んでバネによって自動ロックしている。そして、係止部を下方に引き下げる解除具によって係止部のロック状態を解除するようにしている。
【０００３】
また、特許文献２に記載された平面表示装置取り付け金具では、縦横方向に複数の平面表示装置を配列して大型表示画面を形成している。各平面表示装置は、壁等に取り付けるベース盤に一対のリンク機構を介して連結した装置支持部材に取り付けられ、伸縮可能なリンク機構を収縮させた状態で平面表示装置はロック機構のフックで係止されている。そして、操作レバーを操作することでロックを解除し、リンク機構を引き出して平面表示装置を引き出し可能としている。
【先行技術文献】
【特許文献】
【０００４】
【特許文献１】特開２００６−５３２１２号公報
【特許文献２】特許第４５９４５５３号公報
【発明の概要】
【発明が解決しようとする課題】
【０００５】
しかしながら、特許文献１に記載された壁掛け器具では、大型表示画面を構成する際、複数の表示装置を縦横方向に密着させて配列させると、表示装置をメンテナンス等のために取り外す際、端部の表示装置は側面に指を入れて取り外し可能であるが、中央の表示装置は側面に指がかからないので取り外しが困難であった。
【０００６】
また、特許文献２に記載された平面表示装置取り付け金具では、平面表示装置をメンテナンス等のためにロックを解除して引き出す際、平面表示装置の重量をリンク機構で支持するためにリンク機構が下方に撓んでしまい下側の平面表示装置に接触して擦ってしまうおそれがあった。特に平面表示装置は大画面を構成するために液晶パネルの外枠(ベゼル)が薄く小さいので下側の平面表示装置を擦って損傷させるおそれがあった。また、外枠は薄く強度が小さいため平面表示装置の引き出し時に手で操作するのは好ましくなかった。
【０００７】
本発明は、このような課題に鑑みてなされたものであって、表示装置を引き出す際に下側に他の表示装置があっても接触しないようにした表示装置の取り付け具を提供することを目的とする。
【課題を解決するための手段】
【０００８】
本発明に係る表示装置の取り付け具は、壁面に固定する基盤と、表示装置を装着する支持枠と、基盤に一端が取り付けられていて支持枠に他端が取り付けられた伸縮可能なリンク機構とを備えた表示装置の取り付け具であって、基盤と支持枠の一方に設けられていて他方に向けて延びるガイド部材と、基盤と支持枠の他方に設けられていてガイド部材に沿って摺動可能な摺動部材とを備え、支持枠を引き出す際に表示装置の厚みに相当する距離を越えた位置で摺動部材とガイド部材とが外れるようにしたことを特徴とする。
本発明による表示装置の取り付け具によれば、表示装置を基盤から離間する方向に引き出す際、表示装置を装着した支持枠は摺動部材とガイド部材が当接して相対的に摺動して支持されるため、表示装置の荷重によって降下して撓んだり垂れたりすることを防止でき、そのため、下側に他の表示装置が取り付けられていても上側の表示装置が下側の表示装置に接触したり衝突したりすることを防止できる。また、単一の表示装置であっても、支持枠が基盤から離れた直後に表示装置の荷重で降下することを摺動部材とガイド部材によって防止できるためスムーズに表示装置の引き出し操作を行える。また、引き出し位置の支持枠を基板に戻すときにも同様に摺動部材とガイド部材が相対的に摺動して支持される。
【０００９】
また、基盤と支持枠の一方に係合受け部が設けられ、他方に係合受け部に嵌合可能な係合部が取り付けられ、リンク機構が収縮した位置で係合部が係合受け部に嵌合するようにしたことを特徴とする。
リンク機構が収縮して表示装置を装着した支持枠が基盤側に位置すると、基盤と支持枠の一方に設けた係合受け部に係合部が嵌合することで堅固に支持枠を支持できる。
【００１０】
また、リンク機構に設けられた摺動軸がリンク機構の伸縮をガイドするガイド溝に沿って摺動可能であり、支持枠に連結された第一ワイヤーが基盤に設けられた第一プーリーを介して接続された第一操作部と、摺動軸に連結された第二ワイヤーが基盤に設けられた第二プーリーを介して接続される第二操作部とを備え、第一操作部を操作することで表示装置を引き出し位置から基盤側に移動させ、第二操作部を操作することで表示装置を基盤から引き出すようにしたことを特徴とする。
本発明によれば、第二操作部を操作することで第二ワイヤーが作動して表示装置を装着した支持枠を基盤から離間する方向に引き出して表示装置のメンテナンス等を行うことができ、第一操作部を操作することで第一ワイヤーが作動して表示装置を装着した支持枠を基盤側に移動させることができる。そのため、複数の表示装置を縦横方向に配列して大表示画面を行う際、表示装置を直接手で触ることなく引き出してメンテナンス等を行うことができる。
【発明の効果】
【００１１】
本発明による表示装置の取り付け具によれば、表示装置を縦横方向に複数配列した状態でメンテナンス等のために１つの表示装置を引き出す際、他の表示装置の厚さの距離を越えた後で摺動部材とガイド部材が外れるため、他の表示装置に衝突したり接触したりすることを防止できる。
【図面の簡単な説明】
【００１２】
【図１】本発明の実施形態による表示装置の取り付け具を背面側から見た要部斜視図である。
【図２】図１に示す表示装置の取り付け具を表示装置側から見た要部斜視図である。
【図３】取り付け具の基盤とリンク機構の分解斜視図である。
【図４】取り付け具の引き戻し状態を示す側面図である。
【図５】取り次け具の引き出し状態を示す側面図である。
【図６】（ａ）、（ｂ）、（ｃ）は表示装置の支持枠体とリンク機構に固定した支持基部との間の位置決め機構を示す要部説明図である。
【図７】複数配列させた表示装置の上側の表示装置を引き出す工程を示す側面図であり、（ａ）は表示装置を複数配列させた引き戻し状態の図、（ｂ）は表示装置を引き出す過程を示す図、（ｃ）は表示装置を引き出した状態の図である。
【発明を実施するための形態】
【００１３】
以下、本発明の実施形態による表示装置の取り付け具について図１乃至図７により説明する。
図１及び図２において、表示装置１の金属製の取り付け具２として、壁面等にねじ等で固定する基盤３と、表示装置１を着脱可能に取り付ける支持枠体４と、基盤３に対して支持枠体４の引き出しと引き戻し動作を行うリンク機構５とを備えている。表示装置１は液晶表示パネルやプラズマディスプレイパネル等、適宜の平板状の表示装置１を採用できる。
この取り付け具２はリンク機構５の伸縮によって表示装置１を取り付けた支持枠体４が基盤３に接触する引き戻された位置（図４参照）と離間する引き出された位置（図５参照）とを選択的に取り得るようになっている。また、支持枠体４の裏面にはリンク機構５に取り付けられた支持基部６が装着され、支持基部６に対して支持枠体４の位置調整を可能としている。支持枠体４と支持基部６とで表示装置１を支持する支持枠を構成する。なお、本明細書において、支持枠体４を基盤３から引き出す方向を前部、前方といい、基盤３側に引き戻す方向を後部、後方というものとする。
【００１４】
取り付け具２における基盤３は、図２及び図３に示すように、ボルト等によって壁面に固定されるベース部７と、ベース部７の両側面に取り付けられたラッチプレート８と、ラッチプレート８の内側に取り付けられた一対の後部フロントアングル９とを備えている。
ラッチプレート８は上下方向に延びる長穴にボルトを装着することでベース部７の側部に上下動可能に取り付けられ、ラッチプレート８とベース部７にはラッチプレート８を上方に付勢する弾性部材としてバネ１１が連結されている。また、ラッチプレート８の表示装置１側の端部には上下方向に係合受け部として凹溝８ａが例えば２つ形成され、凹溝８ａの上部には傾斜ガイド部８ｂが形成され、凹溝８ａの前側には山部８ｃが形成されている。また、後部フロントアングル９にはその長手方向に沿って直線状のガイド溝９ａが形成されている。
【００１５】
また、基盤３のベース部７には支持枠体４の方向（水平方向）に延びるガイド部材１０が取り付けられ、ガイド部材１０は表示装置１の厚みより長い寸法に直線状に設定され、先端部を下方に曲げている。支持枠体４には引き戻し位置でガイド部材１０に載置されて、支持枠体４と表示装置１をリンク機構５と分担して支持する摺動部材として例えば摺動ローラ１２が取り付けられている。
そして、支持枠体４が基盤３に当接した引き戻し位置から離間する方向に引き出すことで摺動ローラ１２がガイド部材１０上を摺動し、表示装置１の厚みを越えた位置でガイド部材１０から外れるようになっている。特に表示装置１は数１０ｋｇの重量があるため、リンク機構５だけで支持させるとリンク機構５が撓んでしなるおそれがあるが、ガイド部材１０と摺動ローラ１２で重量の一部を支えることで表示装置１を装着した支持枠体４がリンク機構５の撓みで降下することを防止できる。
【００１６】
また、支持枠体４は表示装置１の裏面にねじ止め固定し、更にねじ１３が上部と一方の側部にそれぞれ形成されている。図４、図５において、支持枠体４の後部と支持基部６の側部とには一対のチルトブラケット１４がねじなどでそれぞれ固定されている。各チルトブラケット１４には複数、例えば水平方向に長穴がそれぞれ形成され、これらの長穴を通してねじで固定することで支持基部６に対して支持枠体４を相対的に位置調整可能としている。また、チルトブラケット１４にもねじ１３が取り付けられている。
【００１７】
これらのねじ１３は支持基部６に対する支持枠体４と表示装置１の位置を縦横及び前後方向に調整するためのものであり、ねじ１３の頭部に設けられたハンドルを回転させることで支持基部６に対する支持枠体４と表示装置１の固定位置を調整できる。そのため、表示装置１の位置調整は工具を用いずに行え、しかも調整に用いるねじ１３について他のねじ１３と異なる色を付与することで容易に識別できる。
【００１８】
支持基部６の後部には、支持枠体４を引き戻した位置でラッチプレート８に形成された凹溝８ａに嵌合する係合部として複数、例えば２本の係合ピン１６がそれぞれ形成されている。そして、一対のチルトブラケット１４の内側には一対の前部フロントアングル１５が支持枠体４の裏面に固定した支持基部６に固定され、その長手方向に沿って直線状のガイド溝１５ａが形成されている。
前部フロントアングル１５と後部フロントアングル９には１組のリンク機構５が取り付けられている。リンク機構５はセンターリンク１７とその両側に配設された一対のサイドリンク１８とが略Ｘ字状に交差する位置で軸部１９によって回動可能に支持されている。
【００１９】
そして、センターリンク１７の一方の端部は軸１７ａが一対の前部フロントアングル１５に回転可能に支持され、他方の端部は摺動軸１７ｂが後部フロントアングル９のガイド溝９ａに昇降可能に支持されている。一対のサイドリンク１８の一方の端部は軸１８ａが後部フロントアングル９に回転可能に支持され、他方の端部は摺動軸１８ｂが前部フロントアングル１５のガイド溝１５ａに昇降可能に支持されている
そのため、図４及び図５に示すように、支持枠体４の支持基部６が基盤３に当接した引き戻し位置ではセンターリンク１７の摺動軸１７ｂが後部フロントアングル９のガイド溝９ａの下端に位置し、サイドリンク１８の摺動軸１８ｂが前部フロントアングル１５のガイド溝１５ａの下端に位置している。
【００２０】
また、図５に示す支持枠体４及び支持基部６において、表示装置１の傾き調整基準Ｔ１、Ｔ２、Ｔ３が図６（ａ）、（ｂ）、（ｃ）の拡大図に示されている。図６（ａ）に示す傾き調整基準Ｔ１は支持枠体４に固定されたチルトブラケット１４の上側に開口部２０が形成され、開口部２０の上下部には指標２１が付与されている。また、開口部２０内の支持基部６の所定位置にはケガキ線としてマーク２２が付与されている。また、図６（ｂ）に示す傾き調整基準Ｔ２は、支持基部６の側部下側にケガキ線としてマーク２３が付与され、チルトブラケット１４の下部には略Ｖ字形状の指標２４が形成されている。また、図６（ｃ）に示す傾き調整基準Ｔ３は、支持枠体４に示す折り返し板４ｂに対して、支持基部６に取り付けた調整枠体６ａにねじ１３を介して設けた略コの字状の対向部材４３が対向して形成されている。支持枠体４の折り返し板４ｂに形成された溝からなる第一指標４２に対向部材４３の上片４３ａが対向し、対向部材４３の下片４３ｂの第二指標４４に支持枠体４の折り返し板４ｂが対向している。この傾き調整基準Ｔ３は表示装置１の左右位置と上下位置を調整できる。
【００２１】
そのため、支持枠体４を基盤３から引き出した位置において、上部と側部のねじ１３を締めるまたは緩めることで支持基部６に対する支持枠体４及び表示装置１の位置を調整することができる。
なお、上述した傾き調整部Ｔ１，Ｔ２、Ｔ３は必ずしも指標２１、２４とマーク２２、２３、第一及び第二指標４２、４４を一致させる調整でなくてもよく、双方の指標２１、２４とマーク２２、２３、第一及び第二指標４２、４４を基準として表示装置１を装着した支持枠体４と支持基部６の位置を調整することができればよい。
【００２２】
また、図１〜図３において、支持基部６には第一ワイヤー２６の一端が連結され、この第一ワイヤー２６はベース部７の上部に取り付けられた第一プーリー２７を介して下方に延びて他端が例えばリング状の第一操作部２８に接続されている。そのため、第一操作部２８を下方に引くことでリンク機構５を収縮させて摺動軸１７ｂ、１８ｂをガイド溝９ａ，１５ａに沿って降下させ、支持枠体４を引き戻し位置に移動させることができる。
また、リンク機構５のセンターリンク１７のガイド溝９ａに嵌合された摺動軸１７ｂには第二ワイヤー３０の一端が連結され、第二ワイヤー３０はベース部７の上部に取り付けられた第二プーリー３１を介して下方に延びて他端が例えばリング状の第二操作部３２に接続されている。そのため、第二操作部３２を下方に引くことで摺動軸１７ｂ、１８ｂをガイド溝９ａ，１５ａに沿って上昇させ、リンク機構５を伸張させて支持枠体４を引き出し位置に移動させることができる。
【００２３】
また、基盤３の上部には一端に植設された支軸３４に固定部材３５が回動可能に取り付けられており、この固定部材３５の他端に設けた嵌合ピン３５ａは基盤３の上部に設けた穴に嵌合されている。そして、支持枠体４を引き出した状態で、支軸３４を中心に固定部材３５を約９０度回転させて支持枠体４の上部に設けた穴４ａに嵌合ピン３５ａを嵌合することで、支持枠体４を引き出し状態に保持できる。
【００２４】
また、基盤３における両側のラッチプレート８の上部には表示装置１のケーブル(図示せず)をクランプするためのブラケット３７が左右両側に突出して設けられている。同様に、支持枠体４の左右両側のチルトブラケット１４の上部にも同様にブラケット３８が左右両側に突出して設けられている。そのため、表示装置１に接続された電源ケーブルや信号ケーブル等を各ブラケット３７，３８に引っ掛けて係止することで、邪魔にならずに保持できる。
また、図１〜図３に示すように、一対のラッチプレート８の下部には鎖を介して操作バー４０が取り付けられている。支持枠体４が基盤３に引き戻された固定位置において、操作バー４０を下方に引っ張ることでラッチプレート８の凹溝８ａがピン１６から外れる。
【００２５】
本実施形態による表示装置１の取り付け具２は上述の構成を備えており、次にその使用方法を図７を中心に説明する。
図７（ａ）において、複数の表示装置１がそれぞれ取り付け具２に装着されて壁面に保持されており、複数の表示装置１を縦横方向に密着させて配列することによって大表示画面を構成して全体で１つの画像を表示できる。そして、各表示装置１を装着した支持枠体４は基盤３に当接させた引き戻した位置に保持されている。
【００２６】
例えば上側の表示装置１をメンテナンスするために引き出そうとする場合、操作バー４０を下すことで、ラッチプレート８の凹溝８ａが係合ピン１６から離脱し、降下するラッチプレート８の傾斜ガイド部８ｂに支持基部６に設けた係合ピン１６が押されて凹溝８ａの位置から係合ピン１６と支持枠体４が前進する。そして、第二操作部３２を引き下ろすことで第二ワイヤー３０が引っ張られてリンク機構５のセンターリンク１７に設けた摺動軸１７ｂとサイドリンク１８に設けた摺動軸１８ｂが後部フロントアングル９のガイド溝９ａと前部フロントアングル１５のガイド溝１５ａに沿ってそれぞれ上昇する。
これによってリンク機構５はセンターリンク１７とサイドリンク１８が互いに接近する方向に軸部１９回りに回動して水平方向に伸張し、表示装置１を装着した支持枠体４を前方に引き出す。そのため、操作バー４０の操作で支持枠体４が前進することで、第二操作部３２を引き下ろす力を軽減できる。
【００２７】
そして、支持枠体４が基盤３側の引き戻し位置から前方に引き出され、支持枠体４に設けた摺動ローラ１２が基盤３に設けたガイド部材１０上を摺動することで、支持枠体４に装着された表示装置１はリンク機構５とガイド部材１０で荷重を分担して支持される。そして、図７（ｂ）に示すように、上側の表示装置１が下側の表示装置１の厚みの距離を越えた位置で摺動ローラ１２がガイド部材１０を外れるため、表示装置１の荷重はリンク機構５だけで支持することになるため、リンク機構５が若干しなって表示装置１が下方に移動する。
このとき、上側の表示装置１は下側の表示装置１より前方に位置するために、下側の表示装置１に接触したりしない。
【００２８】
その後、リンク機構５のセンターリンク１７の摺動軸１７ｂとサイドリンク１８の摺動軸１８ｂが後部フロントアングル９のガイド溝９ａと前部フロントアングル１５のガイド溝１５ａの各上端に当接する引き出し位置で停止し、支持枠体４はこの位置でリンク機構５によって片持ち支持される。この状態で、固定部材３５を、支軸３４を中心に基盤３から約９０度回動させて支持枠体４の上まで移動させ、嵌合ピン３５ａを支持枠体４に形成した穴４ａに嵌合させる。そして、表示装置１を支持枠体４から外して、或いは外すことなく修理や点検、表示装置１の位置調整などのメンテナンスを行える。
【００２９】
次に、メンテナンス完了後、引き出し位置の表示装置１を支持枠体４に装着して引き戻し位置に戻すために、第一操作部２８を引き下げる。すると、第一ワイヤー２６が引っ張られて支持枠体４を基盤３側に移動させるため、リンク機構５が収縮作動する。リンク機構５のセンターリンク１７とサイドリンク１８の摺動軸１７ｂ、１８ｂは後部フロントアングル９と前部フロントアングル１５のガイド溝９ａ，１５ａに沿って上端から下端まで降下する。そして、支持枠体４の引き戻し移動において、途中からはリンク機構５がしなって支持枠体４の摺動ローラ１２が若干降下した位置から基盤３に設けたガイド部材１０の先端に乗り上げて所定高さで摺動するので、引き戻し工程においても表示装置１が下側の表示装置１に接触することを防止できる。
【００３０】
そして、支持枠体４が基盤３の近傍に近づくと、係合ピン１６が凹溝８ａの山部８ｃの傾斜部を押すため、ラッチプレート８はバネ１１の付勢力に抗して降下し、山部８ｃを乗り越える。しかも、係合ピン１６は傾斜ガイド部８ｂによってガイドされ、ラッチプレート８がバネ１１の付勢力で元の位置に復帰する動作に連動して凹溝８ａに嵌合する。
こうして表示装置１を装着した支持枠体４が基盤３側の引き戻し位置に戻される。しかも、係合ピン１６はバネ１１の付勢力で凹溝８ａによって上側に押されるため、正確に位置決め固定される。
【００３１】
上述のように本実施形態による表示装置１の取り付け具２によれば、表示装置１を縦横方向に複数配列させた場合に中央の表示装置１や上側の表示装置１のメンテナンス等を行うために引き出す際、表示装置１を装着した支持枠体４が下側の表示装置１の厚みを越える位置までガイド部材１０上を摺動するため、表示装置１がその荷重で下方に降下することを確実に防止でき、下側の表示装置１に上側の表示装置１が接触したりすることを防止できる。特に、複数の表示装置１で大表示画面を構成する場合、表示装置１の表示画面の外枠（ベゼル）が薄く形成されていても損傷するおそれがない。また、表示装置１を引き戻し位置に戻す場合も同様な効果を奏する。
【００３２】
また、１つの表示装置１だけを取り付け具２に装着した場合でも、係合ピン１６と凹溝８ａによる係合を解除した直後に表示装置１が自身の荷重で下側に垂れることを防止できるので、リンク機構５に与える衝撃を抑制できる。
更に、係合ピン１６を凹溝８ａに嵌合させる際、支持枠体４及び支持基部６がガイド部材１０によって所定高さに保持されて水平移動するため、支持基部６に設けた係合ピン１６が確実に凹溝８ａに嵌合できる。しかも、支持枠体４を引き戻し位置に戻した際、支持枠体４は係合ピン１６が基盤３に固定したラッチプレート８の凹溝８ａに嵌合することでバネ１１の付勢力も相俟って所定位置に係止でき、ガタが生じない。
【００３３】
また、表示装置１を装着した支持枠体４を引き出し位置に引き出したり引き戻し位置に戻したりする際、操作レバー４０と第一操作部２８と第二操作部３２を引き下ろすだけで行えるので操作が容易である。
更に、従来はリンク機構５を基盤３の左右両側に２組設けた構成を採用していたため、引き出しと引き戻しを行う際、リンク機構が同期しないで独立して作動することで変形して表示装置１が隣に配設した他の表示装置１に接触する恐れがあるが、本実施形態では、リンク機構５を１組で高強度に構成したため、リンク機構５が変形することなく動きがスムーズであり精度が高く位置ズレを生じない。
【００３４】
なお、本発明による表示装置の取り付け具は上述した実施形態に限定されるものではなく、本発明の要旨を逸脱しない範囲で適宜の変更や置換を行うことができる。
例えば、上述の実施形態では、基盤３側にガイド部材１０を設け、支持枠体４側に摺動ローラ１２を設けたが、これに代えて基盤３側に摺動ローラ１２を設け、支持枠体４側にガイド部材１０を設けてもよい。この場合には、ガイド部材１０は摺動ローラ１２の上側に乗って摺動する。同様に、基盤３側のラッチプレート８に凹溝８ａを設け、支持枠体４側の支持基部６に係合ピン１６を設ける構成に代えて、基盤３側のラッチプレート８に係合ピン１６を設け、支持枠体４側の支持基部６側に凹溝８ａを設けてもよい。
【符号の説明】
【００３５】
１  表示装置
２  取り付け具
３  基盤
４  支持枠体
５  リンク機構
６  支持基部
８  ラッチプレート
８ａ  凹溝
９  後部フロントアングル
１５  前部フロントアングル    
９ａ、１５ａ  ガイド溝
１０  ガイド部材
１１  バネ
１２  摺動ローラ(摺動軸)
１３  ねじ
１４  チルトブラケット
１６  係合ピン
１７  センターリンク
１７ｂ、１８ｂ  摺動軸
１８  サイドリンク
２６  第一ワイヤー
２８  第一操作部
３０  第二ワイヤー
３２  第二操作部
４０  操作バー
【図１】
2015018190.tif 000003
【図２】
2015018190.tif 000004
【図３】
2015018190.tif 000005
【図４】
2015018190.tif 000006
【図５】
2015018190.tif 000007
【図６】
2015018190.tif 000008
【図７】
2015018190.tif 000009